(57)【特許請求の範囲】
【請求項１】
発光素子から出射された光の配光を制御する光束制御部材であって、
発光素子から出射された光を入射させる入射領域と、
前記入射領域から入射した光を出射させる出射領域と、を有し、
前記入射領域は、
前記発光素子から出射された光の一部を入射させるとともに、入射した光を前記出射領域に向けて屈折させる屈折部と、
前記屈折部の外側に位置し、前記発光素子から出射された光の一部を入射させるとともに、入射した光を前記出射領域に向けて反射させる反射型フレネルレンズ部と、
前記反射型フレネルレンズ部の外側に位置し、前記反射型フレネルレンズ部において入射し、かつ反射されなかった光を前記出射領域に向けて反射させる反射面と、
を有し、
前記反射型フレネルレンズ部は、前記発光素子から出射された光の一部を入射させる第１傾斜面および前記第１傾斜面から入射した光を前記出射領域に向けて反射させる第２傾斜面を有する、同心円状に配置された円環状の突起を複数有し、
前記発光素子の光軸に対する前記反射面の角度は、最も外側に位置する前記第２傾斜面の前記発光素子の光軸に対する角度よりも小さい、
光束制御部材。
【請求項２】
前記反射面は、前記発光素子の発光中心と、前記反射型フレネルレンズ部において最も外側に位置する第１突起と前記第１突起に隣接する第２突起との間に位置する谷底と、を通る直線よりも、前記出射領域側に形成されている、請求項１に記載の光束制御部材。
【請求項３】
前記屈折部は、平面、球面もしくは非球面、または屈折型フレネルレンズである、請求項１に記載の光束制御部材。
【請求項４】
前記反射面と、前記反射型フレネルレンズ部において最も外側に位置する第１突起の第２傾斜面とは、連続している、請求項１に記載の光束制御部材。
【請求項５】
前記反射面と、前記反射型フレネルレンズ部において最も外側に位置する第１突起の第２傾斜面とは、不連続である、請求項１に記載の光束制御部材。
【請求項６】
発光素子と、請求項１〜５のいずれか一項に記載の光束制御部材とを有する、発光装置。
【発明の詳細な説明】
【技術分野】
【０００１】
本発明は、発光素子から出射された光の配光を制御する光束制御部材、および前記光束制御部材を有する発光装置に関する。
【背景技術】
【０００２】
近年、省エネルギーや小型化の観点から、撮像カメラ用の発光装置として、発光ダイオード（以下「ＬＥＤ」ともいう）を光源とする発光装置（ＬＥＤフラッシュ）が使用されるようになってきた。このような発光装置としては、ＬＥＤと、フレネルレンズとを組み合わせたものがよく知られている（例えば、特許文献１参照）。
【０００３】
図１Ａは、特許文献１に記載の発光装置の断面図である。図１Ａに示されるように、特許文献１に記載の発光装置１０は、基板２０と、光源用基板２１と、発光素子および蛍光体を含む光源３０と、フレネルレンズ４０とを有する。フレネルレンズ４０は、光源３０の発光面と対向するように基板２０上に配置されている。
【０００４】
図１Ｂは、フレネルレンズ４０の断面図である。図１Ｂに示されるように、フレネルレンズ４０の一方の面には、屈折型フレネルレンズ部４１および反射型フレネルレンズ部４２が形成されている。屈折型フレネルレンズ部４１は、光源３０と対向する位置に形成されている。反射型フレネルレンズ部４２は、屈折型フレネルレンズ部４１の周囲に、光源３０を取り囲むように形成されている。フレネルレンズ４０において、屈折型フレネルレンズ部４１および反射型フレネルレンズ部４２が形成されている面は、入射領域４３として機能し、入射領域４３の反対側の面は出射領域４４として機能する。
【０００５】
図１Ａに示される発光装置１０では、光源３０から前方方向（図中上方向）に出射された光は、屈折型フレネルレンズ部４１において所定の方向に屈折されて、出射領域４４から出射される。一方、光源３０から側方方向（図中左右方向）に出射された光は、反射型フレネルレンズ部４２の入射面４５から入射し、反射面４６で所定の方向に反射されて、出射領域４４から出射される。このように、特許文献１に記載の発光装置１０は、屈折型フレネルレンズ部４１および反射型フレネルレンズ部４２を有するフレネルレンズ４０を用いて、光源３０から出射された光の配光を制御している。
【先行技術文献】
【特許文献】
【０００６】
【特許文献１】特開２０１１−１９２４９４号公報
【発明の概要】
【発明が解決しようとする課題】
【０００７】
特許文献１に記載のフレネルレンズ４０は、光源３０から前方方向に出射された光だけでなく、光源３０から側方方向に出射された光も利用することで、被照射領域を明るく照らすことができる。しかしながら、特許文献１に記載のフレネルレンズ４０には、反射型フレネルレンズ部４２からの漏れ光を有効に利用することができないという問題がある。
【０００８】
一般的に、反射型フレネルレンズ部４２の形状は、光源３０の発光中心からの光を所望の配光に制御できるように最適化されている。しかし、光源３０は面発光しているため、光源３０の周縁部からも光が出射される。このため、図２に示されるように、光源３０の周縁部からの光の一部は、反射型フレネルレンズ部４２の入射面４５から入射した後、反射面４６において反射されることなく漏れ光となってしまう。その結果、図２において矢印で示されるように、光源３０の周縁部からの光の一部は、迷光５０となってしまう。このような迷光は、フレネルレンズ４０の光利用効率を低下させる。すなわち、特許文献１に記載のフレネルレンズ４０には、迷光の発生を抑制して、光利用効率を改善する余地がある。
【０００９】
反射型フレネルレンズ部を有する光束制御部材（レンズ）において、反射型フレネルレンズ部からの漏れ光に由来する迷光の発生を抑制する手段としては、光源に対して光束制御部材を相対的に大きくすること、または反射型フレネルレンズ部の形状を微細化することが挙げられる。いずれの手段においても、反射型フレネルレンズ部からの漏れ光の発生を抑制することで、迷光の発生を抑制することができる。しかしながら、前者は小型化の要求に反し、後者は製造性を低下させてしまう。このように、漏れ光の発生を抑制することで光束制御部材の光利用効率を向上させることは、容易ではない。
【００１０】
一方で、反射型フレネルレンズ部から漏れ光が発生したとしても、この漏れ光を利用することができれば、光束制御部材の光利用効率を向上させることができると期待される。
【００１１】
本発明は、かかる点に鑑みてなされたものであり、反射型フレネルレンズ部を有する光束制御部材であって、反射型フレネルレンズ部からの漏れ光も有効に利用することができる光束制御部材を提供することを目的とする。また、本発明は、この光束制御部材を有する発光装置を提供することも目的とする。
【課題を解決するための手段】
【００１２】
本発明の光束制御部材は、発光素子から出射された光の配光を制御する光束制御部材であって、発光素子から出射された光を入射させる入射領域と、前記入射領域から入射した光を出射させる出射領域とを有し、前記入射領域は、前記発光素子から出射された光の一部を入射させるとともに、入射した光を前記出射領域に向けて屈折させる屈折部と、前記屈折部の外側に位置し、前記発光素子から出射された光の一部を入射させるとともに、入射した光を前記出射領域に向けて反射させる反射型フレネルレンズ部と、前記反射型フレネルレンズ部の外側に位置し、前記反射型フレネルレンズ部において入射し、かつ反射されなかった光を前記出射領域に向けて反射させる反射面とを有し、前記反射型フレネルレンズ部は、前記発光素子から出射された光の一部を入射させる第１傾斜面および前記第１傾斜面から入射した光を前記出射領域に向けて反射させる第２傾斜面を有する、同心円状に配置された円環状の突起を複数有し、前記発光素子の光軸に対する前記反射面の角度は、最も外側に位置する前記第２傾斜面の前記発光素子の光軸に対する角度よりも小さい、構成を採る。
【００１３】
本発明の発光装置は、発光素子と、上記の光束制御部材とを有する、構成を採る。
【発明の効果】
【００１４】
本発明の光束制御部材は、反射面により反射型フレネルレンズ部からの漏れ光も有効に利用することができるため、光利用効率に優れている。また、本発明の光束制御部材は、反射型フレネルレンズ部からの漏れ光が迷光とならないため、迷光による他の部材への影響を抑制することができる。したがって、本発明の光束制御部材を有する発光装置は、他の部材への影響が小さく、かつ光利用効率に優れている。
【図面の簡単な説明】
【００１５】
【図１】図１Ａは、特許文献１に記載の発光装置の断面図であり、図１Ｂは、特許文献１に記載のフレネルレンズの断面図である。
【図２】特許文献１に記載の発光装置において迷光が発生する様子を示す図である。
【図３】図３Ａは、実施の形態の光束制御部材の平面図であり、図３Ｂは、実施の形態の光束制御部材の側面図であり、図３Ｃは、実施の形態の光束制御部材の底面図である。
【図４】図４Ａは、図３Ａおよび図３Ｃに示されるＡ−Ａ線の断面図であり、図４Ｂは、図４Ａにおいて破線で囲まれた領域の部分拡大断面図である。
【図５】実施の形態の発光装置の構成を示す断面図である。
【図６】図６Ａは、反射面と第２傾斜面とが不連続である光束制御部材の断面図であり、図６Ｂは、図６Ａにおいて破線で囲まれた領域の部分拡大断面図である。
【図７】図７Ａは、比較例の光束制御部材の平面図であり、図７Ｂは、比較例の光束制御部材の側面図であり、図７Ｃは、比較例の光束制御部材の底面図である。
【図８】図８Ａは、図８Ａおよび図８Ｃに示されるＢ−Ｂ線の断面図であり、図８Ｂは、図８Ａにおいて破線で囲まれた領域の部分拡大断面図である。
【図９】実施の形態の光束制御部材と比較例の光束制御部材との形状の違いを説明するための断面図である。
【図１０】比較例の発光装置の光路図である。
【図１１】比較例の発光装置の光路図である。
【図１２】実施の形態の発光装置の光路図である。
【図１３】実施の形態の発光装置の光路図である。
【図１４】全光束についての照度分布のシミュレーション結果を示すグラフである。
【図１５】漏れ光についての照度分布のシミュレーション結果を示すグラフである。
【発明を実施するための形態】
【００１６】
以下、本発明の実施の形態について、図面を参照して詳細に説明する。
【００１７】
［光束制御部材および発光装置の構成］
図３および図４は、本発明の一実施の形態に係る光束制御部材１００の構成を示す図である。図３Ａは、光束制御部材１００の平面図であり、図３Ｂは、光束制御部材１００の側面図であり、図３Ｃは、光束制御部材１００の底面図である。図４Ａは、図３Ａおよび図３Ｃに示されるＡ−Ａ線の断面図であり、図４Ｂは、図４Ａにおいて破線で囲まれた領域の部分拡大断面図である。図５は、本発明の一実施の形態に係る発光装置２００の構成を示す断面図である。
【００１８】
図５に示されるように、本実施の形態の光束制御部材１００は、発光素子２１０と組み合わせて使用される。発光素子２１０は、発光装置２００の光源である。発光素子２１０は、例えば白色発光ダイオードなどの発光ダイオード（ＬＥＤ）である。図５に示されるように、光束制御部材１００は、光束制御部材１００の入射領域１１０（屈折部１２０）と発光素子２１０の発光面とが対向するように配置される。
【００１９】
光束制御部材１００は、発光素子２１０から出射された光の進行方向を制御する。すなわち、光束制御部材１００は、発光素子２１０から出射された光の配光を制御する。光束制御部材１００の形状は、その中心軸ＣＡを中心とする回転対称である。光束制御部材１００は、その中心軸ＣＡが発光素子２１０の光軸ＬＡに合致するように配置される（図５参照）。
【００２０】
光束制御部材１００は、射出成形により形成されている。光束制御部材１００の材料は、所望の波長の光を通過させ得るものであれば特に限定されない。たとえば、光束制御部材１００の材料は、ポリメタクリル酸メチル（ＰＭＭＡ）やポリカーボネート（ＰＣ）、エポキシ樹脂（ＥＰ）などの光透過性樹脂、またはガラスである。
【００２１】
図４Ａに示されるように、光束制御部材１００は、発光素子２１０から出射された光を入射させる入射領域１１０と、入射領域１１０の反対側に位置し、入射領域１１０から入射した光を出射させる出射領域１５０とを有する。入射領域１１０と出射領域１５０との間には、フランジ１６０が設けられていてもよい。
【００２２】
入射領域１１０は、入射領域１１０の中央部に位置する屈折部１２０と、屈折部１２０の外側に位置する反射型フレネルレンズ部１３０と、反射型フレネルレンズ部１３０の外側に位置する反射面１４０とを有する。
【００２３】
屈折部１２０は、発光素子２１０と対向する位置に、光束制御部材１００の中心軸ＣＡと交わるように形成された平面である。屈折部１２０は、発光素子２１０から出射された光の一部（主として前方方向に出射された光）を光束制御部材１００内に入射させるとともに、入射した光を出射領域１５０に向けて屈折させる（図１２参照）。なお、屈折部１２０の形状は、上記機能を実現できれば平面でなくてもよい。たとえば、屈折部１２０は、球面または非球面であってもよいし、屈折型フレネルレンズであってもよい。本実施の形態における屈折部１２０の形状は、光束制御部材１００の中心軸ＣＡを中心とする回転対称である（図３Ｃ参照）。
【００２４】
反射型フレネルレンズ部１３０は、発光素子２１０から出射された光の一部（主として側方方向に出射された光）を光束制御部材１００内に入射させるとともに、入射した光を出射領域１５０に向けて反射させる（図１２参照）。反射型フレネルレンズ部１３０の形状は、光束制御部材１００の中心軸ＣＡを中心とする回転対称であり、反射型フレネルレンズ部１３０は、同心円状に配置された円環状の突起１３１を複数有する（図３Ｃ参照）。図３Ｃおよび図４Ｂに示されるように、本明細書では、複数の円環状の突起１３１のうち、最も外側に位置する突起１３１を第１突起１３１ａと呼び、以降外側から順に第２突起１３１ｂ、…、第６突起１３１ｆ、第７突起１３１ｇと呼ぶこととする。発光素子２１０から側方方向に出射された光を取り込むために、第１突起１３１ａは、他の突起１３１ｂ〜ｇよりも大きく形成されている。
【００２５】
複数の突起１３１は、それぞれ、発光素子２１０から出射された光を入射させる入射面である第１傾斜面１３２と、第１傾斜面１３２から入射した光を出射領域１５０に向けて反射させる反射面である第２傾斜面１３３とを有する。各突起１３１において、第１傾斜面１３２は内側（中心軸ＣＡ側）に位置し、第２傾斜面１３３は外側に位置する。また、各突起１３１において、第１傾斜面１３２と第２傾斜面１３３とは、連続していてもよいし、不連続であってもよい。前者の場合、第１傾斜面１３２と第２傾斜面１３３との間に稜線が形成される。後者の場合、第１傾斜面１３２と第２傾斜面１３３との間に別の面が形成される。図４Ｂに示される例では、第１傾斜面１３２と第２傾斜面１３３との間に第３傾斜面１３４が形成されている。第１傾斜面１３２と第２傾斜面１３３との間に第３傾斜面１３４を設け、鋭角部分（稜線部分）を無くすことで、製造性を向上させることができる。ただし、第３傾斜面１３４が形成された突起１３１による光束制御効率は、第３傾斜面１３４が形成されていない突起１３１に比べて低い。これは、第３傾斜面１３４が形成された突起１３１に入射せず漏れ光となる光が増加することに起因する。後述する反射面１４０は、この漏れ光の進行方向の制御を可能にし、光利用効率を向上させることができる。
【００２６】
第１傾斜面１３２の母線は、直線であってもよいし、曲線であってもよい。発光素子２１０の光軸ＬＡに対する第１傾斜面１３２の角度は、第１傾斜面１３２から入射した光を第２傾斜面１３３側に屈折させることができれば特に限定されず、発光素子２１０の大きさや位置などに応じて適宜設定されうる。なお、第１傾斜面１３２の母線が曲線の場合、「第１傾斜面１３２の角度」とは、第１傾斜面１３２の母線の接線の角度をいう。製造性の観点からは、第１傾斜面１３２は、入射領域１１０側よりも出射領域１５０側が光軸に近くなるように、発光素子２１０の光軸ＬＡに対して３〜５°程度傾斜していることが好ましい。なお、各突起１３１の第１傾斜面１３２の角度は、同一であってもよいし、異なっていてもよい。
【００２７】
第２傾斜面１３３の母線は、直線であってもよいし、曲線であってもよい。発光素子２１０の光軸ＬＡに対する第２傾斜面１３３の角度は、第１傾斜面１３２から入射した光を出射領域１５０側に反射させることができれば特に限定されず、目的とする配光特性などに応じて適宜設定されうる。なお、第２傾斜面１３３の母線が曲線の場合、「第２傾斜面１３３の角度」とは、第２傾斜面１３３の母線の接線の角度をいう。通常は、出射領域１５０側よりも入射領域１１０側が光軸に近くなるように、光軸に対して２０〜５０°程度傾斜している。各突起１３１の第２傾斜面１３３の角度は、同一であってもよいし、異なっていてもよい。
【００２８】
反射面１４０は、反射型フレネルレンズ部１３０の外縁から出射領域１５０の外縁に延びる面である。反射面１４０の外縁と出射領域１５０の外縁との間には、フランジ１６０が設けられていてもよい。反射面１４０は、反射型フレネルレンズ部１３０の第１傾斜面１３２から光束制御部材１００内に入射し、かつ反射型フレネルレンズ部１３０の第２傾斜面１３３で反射されなかった光（すなわち、反射型フレネルレンズ部１３０からの漏れ光）を出射領域１５０に向けて反射させる（図１３参照）。
【００２９】
反射面１４０は、光束制御部材１００の中心軸ＣＡを取り囲むように形成された回転対称面である（図３Ｃ参照）。反射面１４０の直径は、入射領域１１０（発光素子２１０）側から出射領域１５０側に向けて漸増している。反射面１４０の母線は、直線であってもよいし、曲線であってもよい。発光素子２１０の光軸ＬＡ（光束制御部材１００の中心軸ＣＡ）に対する反射面１４０の角度は、０より大きく、かつ最も外側に位置する第２傾斜面１３３ａの発光素子２１０の光軸ＬＡに対する角度よりも小さい。ここで「反射面１４０の角度」とは、反射面１４０の母線の接線の角度の最大値を意味する。また、「最も外側に位置する第２傾斜面１３３ａの角度」とは、第２傾斜面１３３ａの母線の接線の角度の最小値を意味する。
【００３０】
反射面１４０の位置は、反射型フレネルレンズ部１３０からの漏れ光を出射領域１５０に向けて反射させることができれば特に限定されない。たとえば、反射面１４０は、発光素子２１０の発光中心２１２と、第１突起１３１ａと第２突起１３１ｂとの間に位置する谷底１３５とを通る直線Ｌよりも、出射領域１５０側に形成されている（図９参照）。このようにした場合、反射面１４０には、小型の突起１３１ｂ〜ｇ（第１突起１３１ａ以外の突起）の第１傾斜面１３２ｂ〜ｇから入射し、第２傾斜面１３３ｂ〜ｇに到達しなかった光（漏れ光）のみが到達する（第１突起１３１ａの第１傾斜面１３２ａから入射した光は到達しない）。なお、反射面１４０は、第１突起１３１ａの第２傾斜面１３３ａと連続していてもよいし（図４Ａおよび図４Ｂ参照）、不連続であってもよい（図６Ａおよび図６Ｂ参照）。
【００３１】
出射領域１５０は、発光素子２１０とは反対側の、被照射領域側に形成された平面である。出射領域１５０は、光束制御部材１００の中心軸ＣＡと交わるように形成されている。図３Ａに示されるように、出射領域１５０は、光束制御部材１００の中心軸ＣＡを中心とする回転対称面である。出射領域１５０は、１）屈折部１２０から入射した光、２）反射型フレネルレンズ部１３０の第１傾斜面１３２から入射し、第２傾斜面１３３で反射した光、および３）反射型フレネルレンズ部１３０の第１傾斜面１３２から入射し、反射面１４０で反射した光を被照射領域に向けて出射させる。
【００３２】
［光路シミュレーション］
図５に示される本実施の形態の光束制御部材１００を有する発光装置２００について、発光素子２１０から出射された光の光路をシミュレーションした。また、比較のため、図７および図８に示される比較例の光束制御部材１００’を有する発光装置２００’についても、発光素子２１０から出射された光の光路をシミュレーションした。
【００３３】
図７Ａは、比較例の光束制御部材１００’の平面図であり、図７Ｂは、比較例の光束制御部材１００’の側面図であり、図７Ｃは、比較例の光束制御部材１００’の底面図である。図８Ａは、図７Ａおよび図７Ｃに示されるＢ−Ｂ線の断面図であり、図８Ｂは、図８Ａにおいて破線で囲まれた領域の部分拡大断面図である。これらの図に示されるように、比較例の光束制御部材１００’は、反射型フレネルレンズ部１３０の外縁に反射面１４０を有していない点で本実施の形態の光束制御部材１００と異なる。
【００３４】
図９は、実施の形態の光束制御部材１００と比較例の光束制御部材１００’との形状の違いを示すために、これら２つの光束制御部材１００，１００’の部分拡大断面図を重ね合わせた図である。この図に示されるように、実施の形態の光束制御部材１００では、発光素子２１０の発光中心２１２と、反射型フレネルレンズ部１３０の第１突起１３１ａと第２突起１３１ｂとの間に位置する谷底１３５とを通る直線Ｌよりも、出射領域１５０側に反射面１４０が形成されている。一方、比較例の光束制御部材１００’では、反射面１４０の代わりに、光軸ＬＡと平行なフランジ外周面１６２が形成されている。なお、図９に示されるように、今回のシミュレーションでは、出射領域１５０の外側に絞り２２０を配置した。
【００３５】
図１０および図１１は、比較例の発光装置２００’の光路図である。図１０は、発光素子２１０の発光中心から出射された光の光路図であり、図１１は、発光素子２１０の周縁部から出射された光の光路図である。
【００３６】
図１０に示されるように、発光素子２１０の発光中心から前方方向に出射された光は、屈折部１２０から光束制御部材１００内に入射し、出射領域１５０から出射される。また、発光素子２１０の発光中心から側方方向に出射された光は、反射型フレネルレンズ部１３０の各突起１３１ａ〜ｇの第１傾斜面１３２ａ〜ｇから光束制御部材１００内に入射する。第１傾斜面１３２ａ〜ｇから入射した光は、各突起１３１ａ〜ｇの第２傾斜面１３３ａ〜ｇにおいて反射されて、出射領域１５０から出射される。
【００３７】
一方、図１１に示されるように、発光素子２１０の周縁部から側方方向に出射された光は、反射型フレネルレンズ部１３０の各突起１３１ａ〜ｇの第１傾斜面１３２ａ〜ｇから光束制御部材１００内に入射する。第１傾斜面１３２ａ〜ｇから入射した光の一部は、各突起の第２傾斜面１３３ａ〜ｇにおいて反射されて、出射領域１５０から出射される。しかしながら、第１傾斜面１３２ａ〜ｇから入射した光の残部は、各突起１３１ａ〜ｇの第２傾斜面１３３ａ〜ｇに到達することができず、漏れ光となる。このような漏れ光は、迷光となり、フランジ外周面１６２から外部に出射される。このように、反射型フレネルレンズ部１３０からの漏れ光は、被照射領域の照明に利用されない。
【００３８】
図１２および図１３は、実施の形態の発光装置２００の光路図である。図１２は、発光素子２１０の発光中心から出射された光の光路図であり、図１３は、発光素子２１０の周縁部から出射された光の光路図である。
【００３９】
図１２に示されるように、発光素子２１０の発光中心から前方方向に出射された光は、屈折部１２０から光束制御部材１００内に入射し、出射領域１５０から出射される。また、発光素子２１０の発光中心から側方方向に出射された光は、反射型フレネルレンズ部１３０の各突起１３１ａ〜ｇの第１傾斜面１３２ａ〜ｇから光束制御部材１００内に入射する。第１傾斜面１３２ａ〜ｇから入射した光は、各突起１３１ａ〜ｇの第２傾斜面１３３ａ〜ｇにおいて反射されて、出射領域１５０から出射される。
【００４０】
また、図１３に示されるように、実施の形態の発光装置２００でも、発光素子２１０の周縁部から側方方向に出射された光の一部は、反射型フレネルレンズ部１３０からの漏れ光となる。しかしながら、実施の形態の発光装置２００では、このような漏れ光は、反射面１４０において反射され、出射領域１５０から出射される。したがって、漏れ光も、被照射領域の照明に利用される。
【００４１】
これらの光路図から、本実施の形態の発光装置２００は、反射型フレネルレンズ部１３０からの漏れ光を被照射領域の照明に利用できることがわかる。
【００４２】
［照度シミュレーション］
本実施の形態の発光装置２００と、比較例の発光装置２００’について、被照射面の照度分布をシミュレーションした。発光素子２１０から１ｍ離れた位置に、発光素子２１０の光軸ＬＡに対して垂直に配置された平面を被照射面とした。なお、光束制御部材１００，１００’の直径は、１０ｍｍである。
【００４３】
図１４は、全光束についての被照射面の照度分布を示すグラフである。また、図１５は、反射型フレネルレンズ部１３０からの漏れ光についての、被照射面の照度分布を示すグラフである。グラフの横軸は、被照射面の中心（発光素子２１０の光軸と交わる点）からの距離を示し、縦軸は、照度を示している。破線は、比較例の発光装置２００’のシミュレーション結果を示し、実線は、実施の形態の発光装置２００のシミュレーション結果を示す。
【００４４】
図１５のグラフから、本実施の形態の発光装置２００は、比較例の発光装置２００’に比べて被照射面をより明るく照らせることがわかる。また、図１５のグラフから、本実施の形態の発光装置２００は、反射型フレネルレンズ部１３０からの漏れ光を被照射面の周縁部に配光していることがわかる。
【００４５】
［効果］
本実施の形態の光束制御部材１００は、屈折部１２０により屈折された光および反射型フレネルレンズ部１３０により反射された光に加えて、反射型フレネルレンズ部１３０からの漏れ光も被照射領域の照明に利用することができる。したがって、本実施の形態の光束制御部材１００は、光利用効率に優れている。また、本実施の形態の光束制御部材１００は、反射型フレネルレンズ部１３０からの漏れ光が迷光とならないため、迷光による他の部材への影響を抑制することができる。したがって、本実施の形態の光束制御部材１００を有する発光装置２００は、他の部材への影響が小さく、かつ光利用効率に優れている。
【産業上の利用可能性】
【００４６】
本発明の光束制御部材は、例えば撮像カメラの発光装置（フラッシュ）用のレンズなどに有用である。
【符号の説明】
【００４７】
１０  発光装置
２０  基板
２１  光源用基板
３０  光源
４０  フレネルレンズ
４１  屈折型フレネルレンズ部
４２  反射型フレネルレンズ部
４３  入射領域
４４  出射領域
４５  入射面
４６  反射面
１００  光束制御部材
１１０  入射領域
１２０  屈折部
１３０  反射型フレネルレンズ部
１３１  突起
１３２  第１傾斜面
１３３  第２傾斜面
１３４  第３傾斜面
１３５  谷底
１４０  反射面
１５０  出射領域
１６０  フランジ
１６２  フランジ外周面
２００  発光装置
２１０  発光素子
２１２  発光中心
２２０  絞り
ＣＡ  光束制御部材の中心軸
Ｌ  発行中心と谷底とを通る直線
ＬＡ  発光素子の光軸
【図１】
0005839686.tif 000002
【図２】
0005839686.tif 000003
【図３】
0005839686.tif 000004
【図４】
0005839686.tif 000005
【図５】
0005839686.tif 000006
【図６】
0005839686.tif 000007
【図７】
0005839686.tif 000008
【図８】
0005839686.tif 000009
【図１４】
0005839686.tif 000010
【図１５】
0005839686.tif 000011
【図９】
0005839686.tif 000012
【図１０】
0005839686.tif 000013
【図１１】
0005839686.tif 000014
【図１２】
0005839686.tif 000015
【図１３】
0005839686.tif 000016